(57)【要約】【課題】観察者に負担をかけることなく、放射線画像の立体視を行うことができるようにする。【解決手段】立体視を行うための右目用の放射線画像ＧＲおよび左目用の放射線画像ＧＬを、モニタ３を構成する表示部４３，４４にそれぞれ表示し、ハーフミラー４５を介して表示された右目用および左目用の放射線画像ＧＲ，ＧＬを観察して立体視を行う。この際、表示部４３，４４のいずれか一方に、観察者の顔の位置を誘導するクロスマーク５０を表示する。【選択図】図５
2012100978.tif 000002
【特許請求の範囲】
【請求項１】
互いに視差のある右目用の放射線画像および前記左目用の放射線画像を立体視可能に表示する放射線画像表示装置において、
前記右目用の放射線画像および前記左目用の放射線画像を表示する表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備え、
前記表示制御手段は、前記表示部に観察位置を示すマークを表示する手段であることを特徴とする放射線画像表示装置。
【請求項２】
互いに視差のある右目用の放射線画像および前記左目用の放射線画像を立体視可能に表示する放射線画像表示装置において、
前記右目用の放射線画像および前記左目用の放射線画像をそれぞれ表示する２つの表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備え、
前記表示制御手段は、前記２つの表示部の少なくとも一方に、観察位置を示すマークを表示する手段であることを特徴とする放射線画像表示装置。
【請求項３】
前記表示制御手段は、前記マークの表示および非表示を切り換え可能な手段であることを特徴とする請求項１または２記載の放射線画像表示装置。
【請求項４】
互いに視差のある右目用の放射線画像および前記左目用の放射線画像を立体視可能に表示する放射線画像表示装置において、
前記右目用の放射線画像および前記左目用の放射線画像をそれぞれ表示する２つの表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備え、
前記表示手段は、前記２つの表示部にそれぞれ表示された前記右目用の放射線画像および前記左目用の放射線画像を立体視可能に合成する、観察位置を示すマークが付与された合成手段を備えてなることを特徴とする放射線画像表示装置。
【請求項５】
互いに視差のある右目用の放射線画像および左目用の放射線画像を表示する表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備えた放射線画像表示装置における放射線画像表示方法であって、
前記表示部に観察位置を示すマークを表示することを特徴とする放射線画像表示方法。
【請求項６】
互いに視差のある右目用の放射線画像および左目用の放射線画像をそれぞれ表示する２つの表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備えた放射線画像表示装置における放射線画像表示方法であって、
前記２つの表示部の少なくとも一方に観察位置を示すマークを表示することを特徴とする放射線画像表示方法。
【発明の詳細な説明】
【技術分野】
【０００１】
本発明は、被検体の放射線画像を立体視可能に表示する放射線画像表示装置および方法に関するものである。
【背景技術】
【０００２】
従来、複数の画像を組み合わせて表示することにより、視差を利用して立体視できることが知られている。このような立体視できる画像（以下、立体視画像または３次元画像という）は、同一の被写体を異なる方向から撮影して取得された互いに視差のある複数の画像に基づいて表示される。
【０００３】
このような立体視画像の生成は、デジタルカメラやテレビ等の分野だけでなく、放射線画像撮影の分野においても利用されている。すなわち、被検体に対して異なる撮影方向から放射線を照射し、その被検体を透過した放射線を放射線検出器によりそれぞれ検出して互いに視差のある複数の放射線画像を取得し、これらの放射線画像を用いて立体視画像を表示することが行われている。このような立体視画像を用いることにより、奥行き感のある放射線画像を観察することができるため、診断をより行いやすくすることができる。
【０００４】
ところで、放射線画像の立体視は、上述した複数の放射線画像を、立体視を行うための３次元モニタ等の表示装置に表示することにより行われる。このような表示装置としては、例えば特許文献１に記載されているように、ハーフミラーを利用した表示装置が公知である。ハーフミラーを使用した表示装置は、立体視を行うための２つの放射線画像を表示する、表示光が互いに直交するように配置された２つの表示部と、一方の表示部からの表示光を反射し、他方の表示部からの表示光を透過するハーフミラーとを備え、２つの表示部からの表示光をハーフミラーを介して観察することにより、放射線画像の立体視を行うものである。
【０００５】
また、観察者が正しい観察位置から表示装置を観察して立体視を適正に行うことができるようにするために、位置確認用画像を表示する手法が提案されている（特許文献２参照）。特許文献２に記載された手法は、表示装置を適正位置から観察したときには立体視を行うことができ、適正位置以外の位置から観察したときには立体視を行うことができないような位置確認用画像を表示するものである。これにより、観察者は適正な位置から表示装置を観察することができるため、立体視を適正に行うことが可能となる。
【先行技術文献】
【特許文献】
【０００６】
【特許文献１】特開２０１０−１８７９１６号公報
【特許文献２】特開２００２−９５０１４号公報
【発明の概要】
【発明が解決しようとする課題】
【０００７】
しかしながら、特許文献２に記載された手法を用いた場合、観察者は自分の顔を上下左右に移動させて、試行錯誤しながら位置確認用画像を立体視できる適正位置を探す必要がある。とくに特許文献２における位置確認用画像は、立体視可能か否かにより適正位置が観察者に認識されるものであることから、適正位置を探し出すまでに位置確認用画像が立体視されたり、立体視されなかったりするため、目が疲れる等して観察者の負担が大きい。
【０００８】
本発明は上記事情に鑑みなされたものであり、観察者に負担をかけることなく、放射線画像の立体視を行うことができるようにすることを目的とする。
【課題を解決するための手段】
【０００９】
本発明による第１の放射線画像表示装置は、互いに視差のある右目用の放射線画像および前記左目用の放射線画像を立体視可能に表示する放射線画像表示装置において、
前記右目用の放射線画像および前記左目用の放射線画像を表示する表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備え、
前記表示制御手段は、前記表示部に観察位置を示すマークを表示する手段であることを特徴とするものである。
【００１０】
本発明による第２の放射線画像表示装置は、互いに視差のある右目用の放射線画像および前記左目用の放射線画像を立体視可能に表示する放射線画像表示装置において、
前記右目用の放射線画像および前記左目用の放射線画像をそれぞれ表示する２つの表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備え、
前記表示制御手段は、前記２つの表示部の少なくとも一方に、観察位置を示すマークを表示する手段であることを特徴とするものである。
【００１１】
マークとしては、観察位置、より詳細には観察者の顔の位置を立体視を行うのに適正な位置に誘導可能なものであればよく、例えば十字形状のクロスマーク等を用いることができる。
【００１２】
なお、本発明による第１および第２の放射線画像表示装置においては、前記表示制御手段を、前記マークの表示および非表示を切り換え可能な手段としてもよい。
【００１３】
「立体視可能に表示する」とは、互いに視差のある右目用の放射線画像および左目用の放射線画像を左右に並べて表示したり、右目用および左目用の放射線画像をそれぞれ異なる偏光状態でハーフミラー上に重ね、偏光グラス等を通して表示したり、右目用および左目用の放射線画像をレンチキュラーディスプレイで表示したり等、画像の表示側において立体視に必要な要件をすべて満たして、右目用および左目用の放射線画像をを表示することを意味する。
【００１４】
「表示手段」とは、観察者が立体視によって３次元画像を認識できるように、互いに視差のある右目用および左目用の放射線画像の画像信号を出力する表示部、または偏光グラス等を含めた表示システムを意味する。
【００１５】
本発明による第３の放射線画像表示装置は、互いに視差のある右目用の放射線画像および前記左目用の放射線画像を立体視可能に表示する放射線画像表示装置において、
前記右目用の放射線画像および前記左目用の放射線画像をそれぞれ表示する２つの表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備え、
前記表示手段は、前記２つの表示部にそれぞれ表示された前記右目用の放射線画像および前記左目用の放射線画像を立体視可能に合成する、観察位置を示すマークが付与された合成手段を備えてなることを特徴とするものである。
【００１６】
本発明による第１の放射線画像表示方法は、互いに視差のある右目用の放射線画像および左目用の放射線画像を表示する表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備えた放射線画像表示装置における放射線画像表示方法であって、
前記表示部に観察位置を示すマークを表示することを特徴とするものである。
【００１７】
本発明による第２の放射線画像表示方法は、互いに視差のある右目用の放射線画像および左目用の放射線画像をそれぞれ表示する２つの表示部を備え、前記右目用の放射線画像および前記左目用の放射線画像を立体視可能に表示する表示手段と、
前記表示手段に、前記右目用の放射線画像および前記左目用の放射線画像を立体視可能に表示するよう前記表示手段を制御する表示制御手段とを備えた放射線画像表示装置における放射線画像表示方法であって、
前記２つの表示部の少なくとも一方に観察位置を示すマークを表示することを特徴とするものである。
【発明の効果】
【００１８】
本発明の第１および第２の放射線画像表示装置および方法によれば、表示部に観察位置を示すマークを表示するようにしたため、観察者の顔の位置を立体視しやすい位置に誘導することが可能となる。このため、観察者は誘導された位置において合成された右目用および左目用の放射線画像を観察することにより、容易に立体視を行うことができる。
【００１９】
本発明の第３の放射線画像表示装置によれば、右目用の放射線画像および左目用の放射線画像を立体視可能に合成する合成手段に、観察位置を示すマークを付与するようにしたため、観察者の顔の位置を立体視しやすい位置に誘導することが可能となる。このため、観察者は誘導された位置において合成された右目用および左目用の放射線画像を観察することにより、容易に立体視を行うことができる。
【００２０】
なお、「合成された右目用および左目用の放射線画像を観察する」とは、放射線画像表示装置において、立体視可能に表示させた右目用および左目用の放射線画像を同時に観察することを意味する。
【図面の簡単な説明】
【００２１】
【図１】本発明の実施形態による放射線画像表示装置を適用した放射線画像撮影装置の概略構成図
【図２】図１に示す放射線画像撮影装置のアーム部を図１の右方向から見た図
【図３】図１に示す放射線画像撮影装置のコンピュータ内部の概略構成を示すブロック図
【図４】モニタの構成を示す図
【図５】放射線画像の表示状態を示す図
【図６】本実施形態において行われる処理を示すフローチャート
【図７】放射線画像の他の表示状態を示す図
【図８】ハーフミラーにマークを付与した状態を示す図
【発明を実施するための形態】
【００２２】
以下、図面を参照して本発明の実施形態について説明する。図１は本発明の実施形態による放射線画像表示装置を適用した放射線画像撮影装置の概略構成図である。放射線画像撮影装置１は、乳房の放射線画像を立体視するための立体視画像を生成するために、異なる撮影方向から乳房Ｍを撮影して複数の放射線画像を取得するものである。図１に示すように放射線画像撮影装置１は、撮影部１０、撮影部１０に接続されたコンピュータ２、コンピュータ２に接続されたモニタ３および入力部４を備えている。
【００２３】
撮影部１０は、基台１１、基台１１に対し上下方向（Ｚ方向）に移動可能であり、かつ回転可能な回転軸１２、および回転軸１２により基台１１と連結されたアーム部１３を備えている。なお、図２には図１の右方向から見たアーム部１３を示している。
【００２４】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２５】
撮影台１４の内部には、フラットパネルディテクタ等の放射線検出器１５、および放射線検出器１５からの電荷信号の読み出しを制御する検出器コントローラ３３が備えられている。
【００２６】
また、撮影台１４の内部には、放射線検出器１５から読み出された電荷信号を電圧信号に変換するチャージアンプ、チャージアンプから出力された電圧信号をサンプリングする相関２重サンプリング回路、電圧信号をデジタル信号に変換するＡＤ変換部等が設けられた回路基板等も設置されている。
【００２７】
また、撮影台１４はアーム部１３に対し回転可能に構成されており、基台１１に対してアーム部１３が回転したときでも、撮影台１４の向きは基台１１に対し固定された向きとすることができる。
【００２８】
放射線検出器１５は、放射線画像の記録および読み出しを繰り返して行うことができるものであり、放射線の照射を直接受けて電荷を発生する、いわゆる直接型の放射線検出器を用いてもよいし、放射線を一旦可視光に変換し、その可視光を電荷信号に変換する、いわゆる間接型の放射線検出器を用いるようにしてもよい。また、放射線画像信号の読出方式としては、ＴＦＴ（thin film transistor）スイッチをオン・オフさせることによって放射線画像信号が読み出される、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００２９】
放射線照射部１６の内部には、放射線源１７および放射線源コントローラ３２が収納されている。放射線源コントローラ３２は、放射線源１７から放射線を照射するタイミングと、放射線源１７における放射線発生条件（管電流、時間、管電圧等）とを制御するものである。
【００３０】
また、アーム部１３の中央部には、撮影台１４の上方に配置されて乳房Ｍを押さえつけて圧迫する圧迫板１８、その圧迫板１８を支持する支持部２０、および支持部２０を上下方向（Ｚ方向）に移動させる移動機構１９が設けられている。圧迫板１８の位置および圧迫圧は、圧迫板コントローラ３４により制御される。
【００３１】
コンピュータ２は、中央処理装置（ＣＰＵ）および半導体メモリやハードディスクやＳＳＤ等のストレージデバイス等を備えており、これらのハードウェアによって、図３に示すような制御部２ａ、放射線画像記憶部２ｂ、および表示制御部２ｃが構成されている。
【００３２】
制御部２ａは、各種のコントローラ３１〜３４に対して所定の制御信号を出力し、装置全体の制御を行うものである。具体的な制御方法については後述する。
【００３３】
放射線画像記憶部２ｂは、互いに異なる２つの撮影方向からの撮影によって放射線検出器１５によって検出された２枚の放射線画像ＧＲ，ＧＬを記憶するものである。
【００３４】
表示制御部２ｃは、放射線画像記憶部２ｂから読み出された２枚の放射線画像ＧＲ，ＧＬに対して所定の処理を施した後、モニタ３に乳房Ｍを立体視表示させるものである。また、後述するモニタ３を構成する２つの表示部の一方に、観察者の頭の位置を誘導するためのマークを表示させる。
【００３５】
モニタ３は、２枚の放射線画像ＧＲ，ＧＬを表示することにより、放射線画像ＧＲ，ＧＬ中の乳房Ｍを立体表示するものである。図４はモニタ３の構成を示す図である。図４に示すように、モニタ３は、前方に傾斜した上方の表示部４３と下方の表示部４４とを組み合わせて構成されている。そして、この２台の表示部４３，４４の間にハーフミラー４５が配置されている。
【００３６】
上方の表示部４３は表示画面４３ａに右目用の放射線画像ＧＲ、下方の表示部４４は表示画面４４ａに左目用の放射線画像ＧＬをそれぞれ表示するものである。２台の表示部４３，４４の表示光は互いに直交するように偏光しており、上方の表示部４３からの表示光は図中実線で示すようにハーフミラー４５で反射し、下方の表示部４４からの表示光は図中破線で示すようにハーフミラー４５を透過する。ハーフミラー４５は、観察の際に放射線画像ＧＲ，ＧＬが重なるような角度で配置されている。なお、放射線画像ＧＲ，ＧＬは、上下左右方向の位置が表示面４３ａ，４４ａにおいて、ハーフミラー４５に対して鏡像関係となるように表示部４３，４４に表示される。
【００３７】
観察者は、右目用の放射線画像ＧＲを観察するように偏光した右目用偏光レンズと左目用の放射線画像ＧＬを観察するように偏光した左目用偏光レンズを有する偏光メガネを装着することにより、２枚の放射線画像ＧＲ，ＧＬを左右の目でそれぞれ観察することができ、乳房Ｍを立体視できる。なお、立体表示するための構成は、上記の構成に限定されるものではなく、バララックスバリア方式やレンチキュラ―方式を採用した裸眼方式の立体表示装置であってもよい。
【００３８】
ここで、本実施形態においては、表示制御部２ｃは、モニタ３への２つの放射線画像ＧＲ，ＧＬの表示時に、乳房Ｍを適正に立体視できるように、観察者の顔を誘導するためのマークを表示部４３，４４の少なくとも一方に表示する。図５はマークを表示した状態を示す図である。図５に示すように、表示制御部２ｃは、左目用の放射線画像ＧＬを表示する表示部４４に十字形状のクロスマーク５０を表示する。なお、クロスマーク５０を表示部４３に表示してもよい。ここでクロスマーク５０における水平方向の線は、観察者の目の上下方向の位置を合わせるための線であり、垂直方向の線は、目の中心位置を合わせるための線である。なお、クロスマーク５０は、入力部４からの指示により、モニタ３への表示および非表示を切り換え可能となっている。このため、観察者は、顔の位置を合わせた後、クロスマーク５０を非表示とすることが可能である。また、必要であれば再度クロスマーク５０を表示することも可能である。
【００３９】
入力部４は、例えば、キーボードやマウス等のポインティングデバイスから構成されるものであり、操作者による撮影条件等の入力や撮影開始指示の入力等を受け付けるものである。
【００４０】
次いで、本実施形態において行われる処理について説明する。図６は本実施形態において行われる処理を示すフローチャートである。まず、撮影台１４の上に患者の乳房Ｍが設置され、圧迫板１８により乳房Ｍが所定の圧力によって圧迫される（ステップＳＴ１）。次に、入力部４おいて、種々の撮影条件が入力された後、撮影開始の指示が入力される（ステップＳＴ２）。
【００４１】
入力部４において撮影開始の指示があると、立体視表示を行うための２つの放射線画像の撮影が行われる（ステップＳＴ３）。具体的には、まず、制御部２ａが記憶された輻輳角θを読み出し、その読み出した輻輳角θの情報をアームコントローラ３１に出力する。そして、アームコントローラ３１において、制御部２ａから出力された輻輳角θの情報が受け付けられ、アームコントローラ３１は、まず、図２の実線に示すように、アーム部１３が撮影台１４に垂直な方向（０度方向）となるように制御信号を出力する。
【００４２】
そして、このアームコントローラ３１から出力された制御信号に応じて、アーム部１３が撮影台１４に対して垂直な方向となった状態において、制御部２ａは、放射線源コントローラ３２および検出器コントローラ３３に対して放射線の照射および放射線画像信号の読み出しを行うよう制御信号を出力する。この制御信号に応じて、放射線源１７から放射線が射出され、乳房Ｍを０度方向から撮影した放射線画像が放射線検出器１５によって検出され、検出器コントローラ３３によって放射線検出器１５から放射線画像信号が読み出され、その放射線画像信号に対して所定の信号処理が施された後、コンピュータ２の放射線画像記憶部２ｂに右目用の放射線画像ＧＲとして記憶される。
【００４３】
次に、アームコントローラ３１は、図２の仮想線に示すように、アーム部１３を撮影台１４に垂直な方向に対して＋θ度回転するよう制御信号を出力する。そして、このアームコントローラ３１から出力された制御信号に応じてアーム部１３が＋θ度回転した状態において、制御部２ａは、放射線源コントローラ３２および検出器コントローラ３３に対して放射線の照射および放射線画像信号の読み出しを行うよう制御信号を出力する。この制御信号に応じて、放射線源１７から放射線が射出され、乳房Ｍを＋θ度方向から撮影した放射線画像が放射線検出器１５によって検出され、検出器コントローラ３３によって放射線画像信号が読み出され、所定の信号処理が施された後、コンピュータ２の放射線画像記憶部２ｂに左目用の放射線画像ＧＬとして記憶される。
【００４４】
そして、放射線画像記憶部２ｂに記憶された２つの放射線画像ＧＲ，ＧＬが読み出され、放射線画像ＧＲ，ＧＬに対して所定の処理が施された後、モニタ３に出力され、モニタ３において、乳房Ｍの立体視画像が表示される（ステップＳＴ４）。また、これとともにモニタ３の表示部４４にクロスマーク５０が表示される（ステップＳＴ５）。
【００４５】
このように、本実施形態においては、２つの表示部４３，４４の少なくとも一方に、観察位置を示すクロスマーク５０を表示するようにしたため、観察者の顔の位置を立体視しやすい位置に誘導することが可能となる。このため、観察者は誘導された位置において合成された右目用および左目用の放射線画像ＧＲ，ＧＬを観察することにより、容易に乳房Ｍの立体視を行うことができる。
【００４６】
なお、上記実施形態においては、図７に示すように表示部４３，４４の双方にクロスマーク５０を表示するようにしてもよい。この場合、表示部４３，４４の双方の同一位置にクロスマーク５０を表示し、観察者はクロスマーク５０が重なって見える位置に顔を移動させることにより、立体視を適正に行うことができ、クロスマーク５０を表示部４３，４４の少なくとも一方に表示する場合と比較して、観察者の顔の位置を精度よく誘導することができる。
【００４７】
また、表示部４３，４４の双方の同一位置に複数組のクロスマーク５０を表示するようにしてもよい。この場合、複数組のクロスマークは水平方向において同一となる位置に表示させてもよいし、水平方向において異なる位置に表示させてもよい。複数組のクロスマークを水平方向において異なる位置に表示した場合は、水平方向において同一となる位置に表示した場合と比較して、高さ方向に対して精度良く観察者の顔の位置を誘導することができる。
【００４８】
また、立体表示するための構成として、表示部４４のみを用いてバララックスバリア方式やレンチキュラ―方式を採用しつつ、クロスマーク５０を表示部４４に表示するようにしてもよい。この場合、観察者はクロスマーク５０が正面に見える位置に顔を移動させることにより、立体視を適正に行うことができる。
【００４９】
また、図８に示すように、ハーフミラー４５にクロスマーク５２を付与するようにしてもよい。なお、ハーフミラー４５に付与するクロスマーク５２は、立体視を行う際に常時観察者が目にすることになるため、クロスマーク５０と比較して線が細いものとなっている。
【００５０】
また、上記実施形態においては、クロスマーク５０を用いて観察者の顔の位置を誘導しているが、クロスマーク５０以外の他の形状のマークを用いるようにしてもよい。
【００５１】
また、上記実施形態においては、本発明による放射線画像表示装置を適用した放射線画像撮影装置を乳房の放射線画像を撮影する装置としているが、被検体としては乳房に限らず、例えば胸部や頭部等を撮影する放射線画像撮影装置を用いることも可能である。
【符号の説明】
【００５２】
１    放射線画像撮影装置
２    コンピュータ
２ａ    制御部
２ｂ    放射線画像記憶部
２ｃ    表示制御部
３    モニタ
４    入力部
１０    撮影部
１３    アーム部
１４    撮影台
１５    放射線検出器
１６    放射線照射部
１７    放射線源
１８    圧迫板
４３，４４    表示部
４５    ハーフミラー
５０，５２    クロスマーク
【図１】
2012100978.tif 000003
【図２】
2012100978.tif 000004
【図３】
2012100978.tif 000005
【図４】
2012100978.tif 000006
【図５】
2012100978.tif 000007
【図６】
2012100978.tif 000008
【図７】
2012100978.tif 000009
【図８】
2012100978.tif 000010